(57)【要約】ポリプロピレンおよび添加剤の組成物から作られる医療鋭利物および廃棄物処分容器のための方法および装置が提供される。容器は、少なくとも約２．８  ｌｂｆの耐破壊性を有する。添加剤は、所定の貯蔵寿命後にポリプロピレンの分解を加速させるのに十分な量で存在する。容器は、少なくとも約３．４  ｌｂｆの平均の耐破壊性を有し、約０．０５０インチ〜０．０７５インチの厚さを有する壁を含み、前記医療鋭利物または医療廃棄物が該容器から抜けることを防ぐのに十分な衝撃強さを有する。
2009535163.tif 000002
【特許請求の範囲】
【請求項１】
医療鋭利物または医療廃棄物を受けるように適合された処分容器であって、該容器は、ポリプロピレンと、所定の貯蔵寿命後に該ポリプロピレンの分解を加速させるのに十分な量の添加剤とを含み、該容器は少なくとも約２．８  ｌｂｆの耐破壊性を有する、処分容器。
【請求項２】
前記容器は、少なくとも約３．４  ｌｂｆの平均の耐破壊性を有する、請求項１に記載の処分容器。
【請求項３】
前記容器は、少なくとも約５．０  ｌｂｆの平均の耐破壊性を有する、請求項１に記載の処分容器。
【請求項４】
前記容器は、約０．０５０インチ〜０．０７５インチの厚さを有する壁を含む、請求項１に記載の処分容器。
【請求項５】
前記容器は、約０．０６０インチ〜０．０６５インチの厚さを有する壁を含む、請求項１に記載の処分容器。
【請求項６】
前記容器は、前記医療鋭利物または医療廃棄物が該容器から抜けることを防ぐのに十分な衝撃強さを有する、請求項１に記載の処分容器。
【請求項７】
ポリプロピレンと、所定の貯蔵寿命後に該ポリプロピレンの分解を加速させるのに十分な量の添加剤とを含む蓋をさらに含み、該蓋は少なくとも約２．８  ｌｂｆの耐破壊性を有する、請求項１に記載の処分容器。
【請求項８】
医療鋭利物または医療廃棄物を受けるように適合された処分容器であって、該容器は、ポリプロピレンと、所定の貯蔵寿命後に該ポリプロピレンの分解を加速させるのに十分な量の添加剤とを含み、該容器は、該医療鋭利物または医療廃棄物が該容器から抜けることを防ぐのに十分な衝撃強さを有する、処分容器。
【請求項９】
前記容器は、少なくとも約２．８  ｌｂｆの耐破壊性を有する、請求項８に記載の処分容器。
【請求項１０】
前記容器は、少なくとも約３．４  ｌｂｆの平均の耐破壊性を有する、請求項８に記載の処分容器。
【請求項１１】
前記容器は、少なくとも約５．０  ｌｂｆの平均の耐破壊性を有する、請求項８に記載の処分容器。
【請求項１２】
前記容器は、約０．０５０インチ〜０．０７５インチの厚さを有する壁を含む、請求項８に記載の処分容器。
【請求項１３】
前記容器は、約０．０６０インチ〜０．０６５インチの厚さを有する壁を含む、請求項８に記載の処分容器。
【請求項１４】
ポリプロピレンと、所定の貯蔵寿命後に該ポリプロピレンの分解を加速させるのに十分な量の添加剤とを含む蓋をさらに含み、該蓋は、前記医療鋭利物または医療廃棄物が前記容器または蓋から抜けることを防ぐのに十分な衝撃強さを有する、請求項８に記載の処分容器。
【請求項１５】
医療鋭利物または廃棄物処分容器を製造する方法であって、
ポリプロピレンと、所定の貯蔵寿命後に該ポリプロピレンの分解を加速させるのに十分な量の添加剤とを含む組成物を注入するステップと、
少なくとも約２．８  ｌｂｆの耐破壊性を有する容器を形成するステップと
を包含する、方法。
【請求項１６】
前記形成するステップは、少なくとも約３．４  ｌｂｆの平均の耐破壊性を有する容器を形成することを包含する、請求項１５に記載の方法。
【請求項１７】
前記形成するステップは、少なくとも約５．０  ｌｂｆの平均の耐破壊性を有する容器を形成することを包含する、請求項１５に記載の方法。
【請求項１８】
前記注入するステップは、約０．０５０インチ〜０．０７５インチの厚さを有する壁を画定するためにポリプロピレンおよび添加剤を有する組成物を注入することを包含する、請求項１５に記載の方法。
【請求項１９】
前記注入するステップは、約０．０６０インチ〜０．０６５インチの厚さを有する壁を画定するためにポリプロピレンおよび添加剤を有する組成物を注入することを包含する、請求項１５に記載の方法。
【請求項２０】
前記形成するステップは、前記医療鋭利物または医療廃棄物が容器から抜けることを防ぐのに十分な衝撃強さを有する該容器を形成することを包含する、請求項１５に記載の方法。
【請求項２１】
ポリプロピレンと、所定の貯蔵寿命後に該ポリプロピレンの分解を加速させるのに十分な量の添加剤とを含む組成物から蓋を形成するステップをさらに包含する、請求項１５に記載の方法。
【請求項２２】
医療鋭利物または廃棄物を処分する方法であって、
ポリプロピレンと、所定の貯蔵寿命後に該ポリプロピレンの分解を加速させるのに十分な量の添加剤とを含み、少なくとも約２．８  ｌｂｆの最小の耐破壊性を有する容器に医療鋭利物および／または医療廃棄物を受けるステップと、
該容器の分解を開始するステップと、
該容器の生分解を開始するステップと
を包含する、方法。
【請求項２３】
前記容器ならびに前記医療鋭利物および／または医療廃棄物を殺菌するステップをさらに包含する、請求項２２に記載の方法。
【請求項２４】
前記分解を開始するステップは、前記容器ならびに前記医療鋭利物および／または廃棄物を機械的に破砕することを包含する、請求項２２に記載の方法。
【請求項２５】
前記分解を開始するステップは、湿気に前記容器を曝すことを包含する、請求項２２に記載の方法。
【請求項２６】
前記分解を開始するステップは、紫外線または日光に前記容器を曝すことを包含する、請求項２２に記載の方法。
【請求項２７】
前記生分解を開始するステップは、土壌に前記容器を曝すことを包含する、請求項２２に記載の方法。
【請求項２８】
前記生分解を開始するステップは、微生物、バクテリア、菌類および藻類、またはそれらの組合せからなる群から選択される刺激に前記容器を曝すことを包含する、請求項２２に記載の方法。
【請求項２９】
医療鋭利物または廃棄物処分容器を製造する方法であって、
ポリプロピレンおよび添加剤を含むペレットを形成することと、
少なくとも約２．８  ｌｂｆの最小の耐破壊性および該医療鋭利物または医療廃棄物が該容器から抜けることを防ぐのに十分な衝撃強さを有する医療鋭利物または廃棄物処分容器にペレットを成形することと
を包含する、方法。
【発明の詳細な説明】
【技術分野】
【０００１】
本発明は、分解可能な医療鋭利物（ｍｅｄｉｃａｌ  ｓｈａｒｐ）および廃棄物容器ならびに分解可能な医療鋭利物および廃棄物容器を形成する方法に関する。
【背景技術】
【０００２】
プラスチックは、現代の生活の重要な部分になってきており、包装、建築材料、および消費者製品などの種々の用途に用いられる。プラスチックは非常に用途が多い。一部のプラスチックは、収縮可能であり、剛性であり、柔軟性があり、不浸透性であり、または選択的に透過性である。プラスチックの１つの特徴は、時間の経過により急速に分解しないことであり、製造するのに相対的に安価であることである。
【０００３】
プラスチックから製造される製品の一例は、医療鋭利物および廃棄物処分容器である。医療鋭利物および廃棄物処分容器は、汚染された針、注射器、ガラス管、外科用メスの刃、および任意の他の鋭利物および医療廃棄物を処分する便利で安全な方法である。そのような処分容器は、感染の可能性のある鋭利物を安全に入れ、輸送し、最後には破壊するために用いられる。充填された医療鋭利物および廃棄物処分容器は、生物医学的／生物学的有害な廃棄物であり、厳格な連邦政府および州の指針に従って廃棄されるべきである。例えば、医療鋭利物および廃棄物処分容器は、設備によって現場または現場から離れて焼却され得、または設備は様々な殺菌技術によって容器を無害にし得る。
【０００４】
医療鋭利物および廃棄物処分容器が殺菌によって非感染性にされる場合、ほとんどのごみ埋立地は、殺菌された医療鋭利物および廃棄物処分容器を都市の固体廃棄物として考える。従って、殺菌された医療鋭利物および廃棄物処分容器は、家庭ごみと同じ要件にのみ従い、許可され収容されたごみ埋立地において処分され得る。プラスチックの医療鋭利物および廃棄物処分容器は汚染されたかまたは消費された医療鋭利物および医療廃棄物を回収するための安全で効率的な方法ではあるが、これらの容器を医療鋭利物および医療廃棄物の処分に適するようにするプラスチックの特性、すなわち熱および湿気に対する不浸透性は、十分な剛性および耐破壊性を有し、時間の経過をしてもその完全性を維持する能力はまた、その処分に対する難問を引き起こす。医療鋭利物および廃棄物処分容器内に含まれる感染性物質は、破壊（すなわち、殺菌）されたとしても、充填された容器は、なおも、ごみ埋立地の大量のスペースを占有する問題を引き起こす。
【発明の開示】
【課題を解決するための手段】
【０００５】
（発明の概要）
一例示的な実施形態に従って、本発明の医療鋭利物および廃棄物処分容器は、ポリプロピレンと添加剤との組成物から作られ、少なくとも約２．８  ｌｂｆの耐破壊性を有する。添加剤は、所定の貯蔵寿命後にポリプロピレンの分解を加速させるのに十分な量で存在する。
【０００６】
別の例示的な実施形態に従って、本発明の医療鋭利物および廃棄物処分容器は、ポリプロピレンと添加剤との組成物から作られ、鋭利物が容器から抜けることを防ぐのに十分な衝撃強さを有する。添加剤は、所定の貯蔵寿命後にポリプロピレンの分解を加速させるのに十分な量で存在する。
【０００７】
本発明の実施形態に従う、分解可能な医療鋭利物処分および廃棄物容器を製造する例示的な方法は、ポリプロピレンと、所定の貯蔵寿命後に組成物内のポリプロピレンの分解／生分解を加速させるのに十分な量の添加剤との組成物から容器を形成することを含む。形成された容器は、少なくとも約２．８  ｌｂｆの耐破壊性を有する。
【０００８】
本発明の例示的な実施形態に従って、医療鋭利物および廃棄物処分容器を製造する別の方法は、ポリプロピレンと添加剤とを含有するペレットを形成することを含む。ペレットは融解され、医療鋭利物および廃棄物処分容器が成形過程によって形成される。形成された容器は、少なくとも約２．８  ｌｂｆの耐破壊性と、鋭利物が容器から抜けることを防ぐのに十分な衝撃強さとを有する。
【０００９】
本発明の例示的な実施形態に従う、医療鋭利物および医療廃棄物を処分する方法は、ポリプロピレンと、所定の貯蔵寿命後にポリプロピレンの分解を加速させるのに十分な量の添加剤との組成物から作られる容器に医療鋭利物を受けることを含む。容器は少なくとも約２．８  ｌｂｆの最小の耐破壊性を有する。一旦、医療鋭利物および／または廃棄物が処分容器によって受けられると、容器は刺激に曝され、容器の分解／生分解を開始する。
【００１０】
本発明は、添付の図面と関連して読まれるとき、以下の詳細な説明から最も良く理解される。強調されることは、一般的なやり方に従って、図面の様々な特徴は正確な縮尺率ではないことである。それどころか、様々な特徴の寸法は、明確さのために任意に拡大されるかまたは縮小される。図面に含まれるのは、以下の図である。
【発明を実施するための最良の形態】
【００１１】
（発明の詳細な説明）
分解は、非常に大きい分子がより小さい分子または断片に壊れる過程である。分解は、一般的に酸素がこれらの分子の断片の中に混合されるとき、起る。このタイプの分解は、酸化的分解と呼ばれる。一般的には、酸化的分解の結果、強固なプラスチックの薄膜は弱くかつもろくなる。プラスチックは「分解」する。なぜなら、通常、プラスチックを形成する長い重合体鎖は、より短い、より小さい鎖に壊れるからである。酸化的分解は、機械的な圧力、熱、または紫外線もしくは日光への露出によって開始され得る。用語「分解可能プラスチック」は、アメリカ材料試験協会（ＡＳＴＭ  Ｄ８８３−９９）によって次のプラスチックとして定義される。すなわち、プラスチックの分類を決定する期間の間、そのプラスチックおよび用途に適切な標準の試験方法によって測定されるとき、特定の環境条件下において化学的構造上の大幅な変化を受け、変動し得る一部の特性の損失が生じるように設計されるプラスチックである。
【００１２】
例示的な実施形態に従って、本発明の医療鋭利物および廃棄物処分容器の分解過程は、容器の許容可能な貯蔵寿命を維持しながら、分解を促進するような方法で加速される。換言すると、許容可能な期間の間、容器がその完全性および性能特性を保持することを可能にしながら、分解は加速される。例えば、この期間（すなわち、貯蔵寿命）は、約３０ヶ月と設定され得る。すなわち、医療鋭利物および廃棄物処分容器が生産された後の約３０ヶ月（この期間中、容器は保管、輸送または使用され得る）で、容器は、その構造上の完全性をなおも保持しているが、該容器に適切な標準の試験方法によって測定されるときに、その化学的構造上の大幅な変化を受け、変動し得る一部の特性の損失を生じ始める。
【００１３】
生分解は、分解とは区別されるが、土壌において天然に見出される微生物（すなわち、バクテリア、菌類または藻類）が、バイオマス、二酸化炭素、無機物質、および水に、材料を変化させる過程である。バイオマスは、有機物から引き出されるエネルギ資源を含むと理解され、微生物が生長し得る任意の炭素源を含む。用語「生分解可能プラスチック」は、アメリカ材料試験協会（ＡＳＴＭ  Ｄ８８３−９９）によって次の分解可能プラスチックとして定義される。すなわち、生分解が、自然発生の微生物、すなわち、バクテリア、菌類、および藻類の行為の結果から生じる分解可能なプラスチックである。
【００１４】
一旦、加速された分解が促進されると（例えば、第１のステップとして）、本発明の
医療鋭利物および廃棄物処分容器は、生分解を受け得る（例えば、第２のステップとして）。例示的な実施形態に従って、医療鋭利物および廃棄物処分容器は、土壌内に天然に見出される微生物（すなわち、バクテリア、菌類または藻類）に曝されると、生分解可能にされる。
【００１５】
図１は、本発明の局面に従って、加速される分解がなされるように構成され、生分解可能にされ得る、例示的な医療鋭利物および廃棄物処分容器を例示する。例えば、容器１０は、ベースおよび上部を有し、複数の壁１５から構成される。容器１０はまた、様々な構成を有し得る蓋１７を有し得る。壁１５および蓋１７は、約０．０５０インチ〜０．０７５インチの厚さを有し、より好ましくは、０．０６０インチ〜０．０６５インチの厚さを有する。容器１０は、医療鋭利物および医療廃棄物を受けるように適合される。壁１５は、ポリプロピレンと所定の貯蔵寿命後に分解を加速させる添加剤との組成物から作られる。蓋１７も、好ましくは、ポリプロピレンと分解を加速させる添加剤との組成物から作られるが、そのような組成物から作られなければならないということはない。例示的な実施形態に従って、容器１０の壁１５および可能性としては蓋１７も形成する組成物は、容器の重量に対して約９０％〜約１００％のポリプロピレンを含有する。
【００１６】
添加剤は、組成物内のポリプロピレンの分解を加速させるのに十分な量で容器１０などの容器内に提供される。一例示的な添加剤は、商標ＴＤＰＡ（登録商標）（Ｔｏｔａｌｌｙ  Ｄｅｇｒａｄａｂｌｅ  Ｐｌａｓｔｉｃ  Ａｄｄｉｔｉｖｅ）の下で、カナダＢｒｉｔｉｓｈ  Ｃｏｌｕｍｂｉａ州ＶａｎｃｏｕｖｅｒのＥＰＩ  Ｅｎｖｉｒｏｎｍｅｎｔａｌ  Ｔｅｃｈｎｏｌｏｇｉｅｓ  Ｉｎｃ．によって製造される。別の例示的な添加剤は、商品名ＥＣＭ  Ｍａｓｔｅｒｂａｔｃｈ  Ｐｅｌｌｅｔｓの下で、Ｏｈｉｏ州ＰａｉｎｅｓｖｉｌｌｅのＥＣＭ  Ｂｉｏｆｉｌｍｓ，Ｉｎｃ．によって製造される。さらに別の例示的な添加剤は、英国のＳｙｍｐｏｎｙ  Ｐｌａｓｔｉｃ  Ｔｅｃｈｎｏｌｏｇｉｅｓによって製造され、商標ｄ２ｗ（登録商標）の下で、カナダＯｎｔａｒｉｏ州ＴｏｒｏｎｔｏのＤｅｇｒａｄａｂｌｅ  Ｐｌａｓｔｉｃ  Ｐｒｏｄｕｃｔｓ  Ｉｎｃ．によって販売される。この種類の添加剤は、米国特許第５，８５４，３０４号、米国特許出願公開第２００４／００６２８８４号、およびＰＣＴ国際出願公開第ＷＯ２００５／０１７０１５号に述べられ、その各々は参考として援用される。これらの特許書類の添加剤は、概して、例えば、ビニール袋などの薄膜構造における使用のために述べられている。
【００１７】
添加剤が様々な濃度のプラスチック樹脂（すなわち、ポリプロピレン、ポリエステル、またはポリスチレン）に添加される場合、製造されたプラスチック製品は、分解の速度が加速され、最後には生分解可能にされ得る。一旦、分解および生分解が完了すると、プラスチックおよび添加剤で残るすべてのものは、二酸化炭素、水、無機物質およびバイオマスである。プラスチック組成物における濃度および添加剤の種類を変化させることによって、組成物によって形成されるプラスチック製品は、その分解を加速し始め、所望の時間枠内に生分解可能にされ得る。本発明の医療鋭利物処分容器が（その完全性および性能特徴の一部を失うように）その分解を加速し始める例示的な時間枠は、少なくとも約２０〜４０ヶ月、好ましくは少なくとも約２５〜３５ヶ月、最も好ましくは少なくとも約３０ヶ月を含む。本発明の例示的な実施形態に従う添加剤は、ＰＣＴ国際出願公開第ＷＯ２００５／０１７０１５号に説明されるように、容器の全重量に対して、約１０％まで、好ましくは約１〜１０％、より好ましくは約３〜５％の量にて存在する。
【００１８】
分解過程は、添加剤によって加速され、一般的に、酸化的分解によって３００，０００ダルトンまでの平均分子量を有する大きな重合体鎖がより小さい重合体鎖に崩壊することにより、開始する。分解は、より小さい重合体鎖の露出された端部を酸素化することによって継続し、アルデヒド、ケトン、カルボン酸、およびアルコールを形成する。分解過程は、熱、紫外線光（例えば、日光）、湿気および機械的圧力に曝されると、開始される。これらの刺激物の任意の組合せの１つは、本発明の組成物を有する製品の分解過程を開始する。微生物が分解過程から結果として生じる酸素化された端部を消費し、重合体鎖の端部を一度に２炭素原子だけ減少させるとき、生分解が開始する。微生物が酸素化された端部を消費すると、重合体主鎖端部は再び、露出され、酸素化（すなわち、分解）され、微生物によって消費（すなわち、生分解）され、このようにして、分解／生分解サイクルを繰り返す。分解は生分解なしに起こり得、または分解および生分解は、上記のように一斉に同時に進行し得る。
【００１９】
本発明の医療鋭利物および廃棄物処分容器は、分解過程が加速され生分解可能にされ得るが、医療鋭利物および医療廃棄物の処分のための容器として適するようにする構造上の特性を維持する。そのような構造上の一特性は、耐破壊性である。ＡＳＴＭ−Ｆ２１３２は、捨てられた医療廃棄物、針および他の鋭利物のための容器の構造に用いられる材料の耐破壊性に関する試験手順および性能要件を規定する。この試験仕様は、試験手順に従うとき容器の材料が耐えなければならない（１）平均の破壊力および（２）破壊力の最小値を制定する。一例示的な実施形態に従って、本発明の医療鋭利物および廃棄物処分容器は、少なくとも約３．４  ｌｂｆ、好ましくは少なくとも約５．０  ｌｂｆの平均の耐破壊性を有し、任意の１回の測定に対する最小の要件は、少なくとも約２．８  ｌｂｆである。
【００２０】
別の構造上の特性は衝撃強さである。衝撃強さを測定する試験手順は、ＡＳＴＭ−Ｄ５６２８であり、ＡＳＴＭ−Ｄ５６２８は、様々な指定された条件の落槍の衝撃の下で、剛性のプラスチックの試料を砕くかまたはこわして平らにするのに必要とするエネルギに従って、材料の相対的順位を決定する。衝撃強さに関する別の試験は、充填された医療鋭利物および廃棄物処分容器を所定の高さ（高さは容器のサイズおよび重量による）から堅い表面の上に落とすことである。落下の衝撃により医療鋭利物または他の医療廃棄物が容器から抜ける（ｅｓｃａｐｅ）場合、容器はこの衝撃強さ試験に不合格である。例えば、約１．０ポンドの重さの充填された２ガロンの医療鋭利物処分容器は、３６インチの高さから落とされた。容器が所定の高さから落とされた後に、容器の壁または蓋のいずれかの破壊によって、容器からどの医療鋭利物または医療廃棄物も抜けることがない場合、容器は十分な衝撃強さを有すると決定される。
【００２１】
本発明の例示的な方法に従う、分解可能な鋭利物および医療廃棄物処分容器は、プラスチック真空成形、熱硬化射出成形、ブロー成形、回転成形、熱成形、構造用発泡成形、圧縮成形、レジンインジェクション成形（ＲＴＭ）、コーティングおよびディッピングを含むが、これらに限定されない従来のプラスチック製作工程によって製造される。例えば、図２は、本発明の医療鋭利物および廃棄物処分容器を形成する例示的な方法２０を例示する。例示的な方法２０に従って、ポリプロピレンと、ポリプロピレンの分解を加速させるのに十分な量の添加剤との組成物は、ステップ２２において提供される。別の例示的な実施形態に従って、ポリプロピレンと添加剤との組成物は、ペレットにされ、ペレットの形態にて提供される。組成物は次いで、ステップ２４において型の中に注入される。ステップ２６において、医療鋭利物および医療廃棄物が容器から抜けることを防ぐのに十分な耐破壊性および衝撃強さを有する容器が形成される。
【００２２】
本発明の実施形態に従う、医療鋭利物および医療廃棄物を処分する例示的な方法は、図３のフローチャートに例示される。処分方法３０は、ポリプロピレンと、所定の貯蔵寿命後にポリプロピレンの分解を加速させるのに十分な量の添加剤とを含む容器に医療鋭利物および／または医療廃棄物を受けるステップ３２を含む。医療鋭利物容器を処分するために、使い果たされた医療鋭利物および／または医療廃棄物は、ステップ３４に示されるように殺菌される。適切な殺菌技術は、感染の可能性のある医療鋭利物および廃棄物を非感染性にする方法を含む。例示的な方法は、蒸気（オートクレービング）、重力置換（ｇｒａｖｉｔｙ  ｄｉｓｐｌａｃｅｍｅｎｔ）、動的空気除去（プレバック（ｐｒｅ−ｖａｃ））、乾熱、対流加熱、エチレンオキシド、プラズマ（過酸化水素プラズマまたは気体プラズマ）および過酢酸処理を含む。
【００２３】
ステップ３６に示されるように、殺菌後、医療鋭利物および廃棄物容器の分解の加速が促進される。分解の促進は、機械的な破砕、熱または紫外線光（例えば、日光）もしくは湿気に対する露出を含む機械的および／または化学的な刺激に対して曝されると、開始される。ステップ３８に示されるように、分解の加速が促進された後に、医療鋭利物および廃棄物処分容器の生分解が促進される。生分解過程の促進は、土壌において天然に見出される微生物（すなわち、バクテリア、菌類または藻類）に曝されると、開始される。
【００２４】
本発明の好ましい実施形態が、本明細書において示されかつ説明されたが、そのような実施形態は、例示としてのみ提供されることは理解される。多数の変形、変更、代替が、本発明の精神から逸脱することなく当業者にとって思いつく。従って、添付の特許請求の範囲は、本発明の精神および範囲内入るようなすべての変形を含むことが意図される。
【図面の簡単な説明】
【００２５】
【図１】図１は、本発明の局面に従う、分解可能にされ得る例示的な医療鋭利物および医療廃棄物容器の図である。
【図２】図２は、本発明の局面に従う、医療鋭利物および廃棄物容器を製造する例示的な方法のフローチャートである。
【図３】図３は、本発明の局面に従う、例示的な容器において医療鋭利物および医療廃棄物を処理する例示的な方法のフローチャートである。
【図１】
2009535163.tif 000003
【図２】
2009535163.tif 000004
【図３】
2009535163.tif 000005
【国際調査報告】
2009535163.tif 000006
2009535163.tif 000007
2009535163.tif 000008